(57)【要約】【課題】仕様の範囲内で照明環境を任意に設定すること。【解決手段】光源１６、２６の特性に関連するプロパティデータとイベント種に対応した照明パターンデータをデータ保持部３５に格納し、ユーザの操作により、ブラウザー部５からプロパティデータまたは照明パターンデータに関する書き換えが指令されたときには、制御部３４の制御によりデータ保持部３５内のデータを書き換え、書き換えられたデータにしたがった制御信号を生成し、この制御信号にしたがって照明器具１、２の光源１６、２６の調光を制御する。【選択図】　　　　図１
2004030933.tif 000002
【特許請求の範囲】
【請求項１】
光源の特性に関連するプロパティデータを記憶するデータ記憶手段と、操作に応答して書き換え指令を通信ネットワークに送信する書き換え指令入力手段と、前記通信ネットワークと情報の授受を行ない、前記通信ネットワークからの書き換え指令に応答して前記データ記憶手段のプロパティデータのうち書き換え指令で指定されたプロパティデータを書き換えるデータ書き換え手段と、前記データ記憶手段に記憶されたプロパティデータに基づいて前記光源の状態を制御する制御手段とを備えてなる照明制御装置。
【請求項２】
イベント種に対応した操作パターンデータを記憶するデータ記憶手段と、操作に応答して書き換え指令を通信ネットワークに送信する書き換え指令入力手段と、前記通信ネットワークと情報の授受を行ない、前記通信ネットワークからの書き換え指令に応答して前記データ記憶手段の操作パターンデータのうち書き換え指令で指定された操作パターンデータを書き換えるデータ書き換え手段と、前記イベント種のうち指定のイベントの発生を指令するイベント発生指令手段と、前記イベント発生指令手段の指令に応答して前記データ記憶手段から前記指定のイベントに対応した操作パターンデータを選択し、選択した操作パターンデータに基づいて光源の状態を制御する制御手段とを備えてなる照明制御装置。
【請求項３】
イベント種に対応した操作パターンデータを光源の特性に関連するプロパティデータに対応づけて記憶するデータ記憶手段と、操作に応答して書き換え指令を通信ネットワークに送信する書き換え指令入力手段と、前記通信ネットワークと情報の授受を行ない、前記通信ネットワークからの書き換え指令に応答して前記データ記憶手段のデータのうち書き換え指令で指定されたデータを書き換えるデータ書き換え手段と、前記イベント種のうち指定のイベントの発生を指令するイベント発生指令手段と、前記イベント発生指令手段の指令に応答して前記データ記憶手段から前記指定のイベントに対応した操作パターンデータを選択し、選択した操作パターンデータに基づいて光源の状態を制御する制御手段とを備えてなる照明制御装置。
【請求項４】
請求項１または３に記載の照明制御装置において、前記データ書き換え手段は、前記データ記憶手段のデータのうち前記書き換え指令で指定されたプロパティデータをその制限値の範囲内で前記書き換え指令に従って書き換えてなることを特徴とする照明制御装置。
【請求項５】
請求項２または３に記載の照明制御装置において、前記イベント発生指令手段は、時刻指定情報または経過時間指定情報を受け、前記時刻指定情報または経過時間指定情報で指定されたときにイベントの発生を指令してなることを特徴とする照明制御装置。
【発明の詳細な説明】
【０００１】
【発明の属する技術分野】
本発明は、照明制御装置に係り、特に、電球などの光源の状態を制御して安全で心地良い照明環境を提供するに好適な照明制御装置に関する。
【０００２】
【従来の技術】
従来、心地良い照明環境を得るに際して、電球などの光源の状態として、照明器具の調光を制御することが行われている。例えば、特開平６−１１１９４７号公報に記載されているように、操作卓と分散調光器との間でデータの授受を行い、調光器側で調光を制御するに際して、調光レベルデータ、変化時間データなどの調光データを予め分散器側のメモリに格納しておき、分散調光器側で操作卓から調光信号を受信したときに、この調光信号に対応した調光データをメモリから読み出し、この調光データにしたがって負荷の調光を制御し、操作卓と調光器との間に、シリアル伝送線などの信号線を配線することを不要とする一方、ワイヤレスによるシリアル伝送の時間遅れをなくすようにしたものが提案されている。
【０００３】
また、特開２０００−２６０５８０号公報に記載されているように、照明器具の点灯、調光および消灯をタイマにより制御するとともに、照明器具の色温度を制御するようにしたものが提案されている。さらに、特開２００１−３１３１８４号公報に記載されているように、目覚ましモードで電球の照度を制御するに際して、所定の目覚まし時刻になったときに、電球の照度を低照度領域から高照度領域へ変化させるようにしたものが提案されている。
【０００４】
【発明が解決しようとする課題】
従来技術のうち特開２０００−２６０５８０号公報や特開２０００１−３１３１８４号公報に記載されているものは、照明器具や電球などの照度や色温度などを制御しているため、心地良い照明環境を提供することはできるが、ユーザの好みに合わせて照明環境を任意に設定するには十分ではない。すなわち、照明器具などが設置される場所の条件、位置、照明の目的は様々であり、これらのことを考慮すると、従来技術のものでは、ユーザの好みに合わせて照明環境を任意に設定するには十分ではない。
【０００５】
本発明の課題は、仕様の範囲内で照明環境を任意に設定することができる照明制御装置を提供することにある。
【０００６】
【課題を解決するための手段】
前記課題を解決するために、本発明は、光源の特性に関連するプロパティデータを記憶するデータ記憶手段と、操作に応答して書き換え指令を通信ネットワークに送信する書き換え指令入力手段と、前記通信ネットワークと情報の授受を行ない、前記通信ネットワークからの書き換え指令に応答して前記データ記憶手段のプロパティデータのうち書き換え指令で指定されたプロパティデータを書き換えるデータ書き換え手段と、前記データ記憶手段に記憶されたプロパティデータに基づいて前記光源の状態を制御する制御手段とを備えてなる照明制御装置を構成したものである。
【０００７】
前記した手段によれば、書き換え指令にしたがってプロパティデータを書き換えることで、仕様の範囲内で、すなわちプロパティデータの範囲内でユーザの好みに合わせて照明環境を任意に設定することができる。
【０００８】
また、本発明は、イベント種に対応した操作パターンデータを記憶するデータ記憶手段と、操作に応答して書き換え指令を通信ネットワークに送信する書き換え指令入力手段と、前記通信ネットワークと情報の授受を行ない、前記通信ネットワークからの書き換え指令に応答して前記データ記憶手段の操作パターンデータのうち書き換え指令で指定された操作パターンデータを書き換えるデータ書き換え手段と、前記イベント種のうち指定のイベントの発生を指令するイベント発生指令手段と、前記イベント発生指令手段の指令に応答して前記データ記憶手段から前記指定のイベントに対応した操作パターンデータを選択し、選択した操作パターンデータに基づいて光源の状態を制御する制御手段とを備えてなる照明制御装置を構成したものである。
【０００９】
前記した手段によれば、書き換え指令にしたがって操作パターンデータを書き換え、イベントが発生したときに、イベントに対応した操作パターンデータにしたがって光源の状態を制御するようにしたため、仕様の範囲内で、すなわち、操作パターンデータの範囲内でユーザの好みに合わせて照明環境を任意に設定することができるとともに、イベントで指定された操作パターンにしたがって光源の状態を制御することができる。
【００１０】
前記照明制御装置を構成するに際しては、データ記憶手段を、イベント種に対応した操作パターンデータを光源の特性に関連するプロパティデータに対応づけて記憶するもので構成し、書き換え指令に応答してデータ記憶手段のデータのうち書き換え指令で指定されたデータを書き換えるようにすることで、書き換え指令によりプロパティデータあるいは操作パターンデータを任意に書き換えることができ、仕様の範囲内で、すなわちプロパティデータあるいは照明パターンデータを含む操作パターンデータの範囲内でユーザの好みに合わせて照明環境を任意に設定することができる。
【００１１】
プロパティデータとしては、電球、照明器具などの光源の照度レベル、光色、配光、方向、位置のデータを用いることできる。そしてこれらプロパティデータをその制限値の範囲内で書き換えたときには、制限値の範囲内でユーザの好みに合わせて照明環境を任意に設定することができる。
【００１２】
また、データ書き換え手段を通信ネットワーク、例えば、インターネットに接続することで、ユーザはインターネットを介してプロパティデータや操作パターンデータを任意に書き換えることができる。
【００１３】
【発明の実施の形態】
以下、本発明の一実施形態を図面に基づいて説明する。図１は、本発明に係る照明制御装置を適用した照明システムの全体構成図である。図１において、照明システムは、照明器具１、２、コントローラ３を備えており、コントローラ３はインターネット網（通信ネットワーク）４を介してブラウザー部５に接続されている。インターネット網４には、信号送信部８が接続されており、信号送信部８は、信号生成部７を介して入力部６に接続されている。さらにコントローラ３は情報入出力装置９に接続されているとともに、信号線１０を介して照明器具１、２に接続されている。
【００１４】
照明器具１は、電源部１１、制御部１２、Ｉｄ（Ｉｄｅｎｔｉｆｉｃａｔｉｏｎ）保持部１３、送受信部１４、照度測定部１５、光源１６を備えて構成されており、照明器具２は、電源部２１、制御部２２、Ｉｄ保持部２３、送受信部２４、照度測定部２５、光源２６を備えて構成されている。コントローラ３は、送受信部３１、操作受付部３２、タイマー部３３、制御部３４、データ保持部３５、送受信部３６を備えて構成されている。
【００１５】
各照明器具１、２の光源１６、２６は、電球、発光素子などを用いて構成されており、各光源１６、２６には電源部１１、２１からそれぞれ電力が供給されている。光源１６、２６としては、複数個（Ｎ個）の電球などで構成することができるとともに、単一の電球などで構成することもできる。各光源１６、２６の照度レベル、光色、配光、方向は、制御部１２、２２によって制御されるようになっている。各光源１６、２６の照明による照度はそれぞれ照度測定部１５、２５によって測定され、各測定値が制御部１２、２２に出力されるようになっている。
【００１６】
各制御部１２、２２は、照度測定部１５、２５の測定結果を基に各光源１６、２６の照度レベルを制御するようになっており、各制御部１２、２２には送受信部１４、２４を介してコントローラ３から各種のデータや制御信号（リクエストプロパティ値）が入力されるようになっている。すなわち、送受信部１４、２４は、それぞれコントローラ３の送受信部３１に対してデータや各照明器具１、２自身の状態である現在プロパティ値に関する信号を送信するとともに、コントローラ３からデータや制御信号（リクエストプロパティ値）を受信し、受信したデータや制御信号（リクエストプロパティ値）を制御部１２、２２に出力するようになっている。さらに送受信部１４、２４は、照度測定部１５、２５の測定による照度データを各光源１６、２６の状態を示すデータとしてコントローラ３に出力するようになっている。
【００１７】
送受信部１４、２４と送受信部３１との間でデータの授受を行うに際しては、Ｉｄ保持部１３、２３に保持されたＩｄ（Ｉｄｅｎｔｉｆｉｃａｔｉｏｎ）番号を参照して各照明器具１、２固有のデータのみを受信するようになっている。すなわち、各Ｉｄ保持部１３、２３には各照明器具１、２をそれぞれ識別するためのＩｄ番号に関するデータが保持されているとともに、光源１６、２６が複数個の電球などで構成されたときには、各光源１６、２６を識別するための識別番号に関するデータが保持されている。
【００１８】
なお、信号線１０は、ＬＡＮ（Ｌｏｃａｌ　Ａｒｅａ　Ｎｅｔｗｏｒｋ）、赤外線、ｂｌｕｅｔｏｏｔｈなどのネットワークを用いて構成することができるが、照明器具１、２とコントローラ３とを信号線１０で接続する代わりに、無線を用いてデータおよび情報の授受を行うこともできる。
【００１９】
一方、コントローラ３の操作受付部３２には、インターネット網４とともに通信手段を構成する送受信部３６を介して各種のデータや情報が入力されるようになっている。
【００２０】
例えば、ブラウザー部５や入力部６を操作することで、ユーザの操作に応じた情報が入力されるようになっている。入力部６は、例えば、キーボード、マウスなどを用いて構成されており、ユーザの操作により、光源１６、２６の特性や性能に関連するプロパティデータ、例えば、照度、光色、配光、方向に関するデータや照明パターンデータを書き換えるための書き換え指令を入力する書き換え指令入力手段を構成するようになっている。さらに、入力部６は、ユーザの操作により、各種イベントを発生させるための情報を入力したり、イベントの発生時刻を指定するための時刻指定情報または経過時間指定情報を入力したりするようになっている。そして、入力部６は、ユーザの操作に応じた信号を信号生成部７から出力させるようになっている。すなわち、ユーザの操作に伴う情報が入力部６に入力されると、信号生成部７からは、ユーザの操作にしたがった信号が出力され、この信号は、信号送信部８からインターネット網４を介して送受信部３６に送信されるようになっている。この場合、入力部６、信号生成部７、信号送信部８は、書き換え指令入力装置または時間情報入出力装置を構成することになる。
【００２１】
また、ブラウザー部５と情報入出力装置９は、それぞれ入力部６と信号生成部７および信号送信部８としての機能を備えて構成されており、情報入出力装置９としては、例えば、エアコン（エアコンディショナ）、ビデオ（ビデオテープレコーダ）、テレビ、電子楽器、ゲーム機などを用いて構成することができる。
【００２２】
また、ブラウザー部５にはユーザの操作による情報が画面上に表示されるとともに、コントローラ３からの情報が画面上に表示されるようになっている。
【００２３】
コントローラ３の操作受付部３２には送受信部３６を介して各種の情報が受け付けられるようになっており、操作受付部３２に各種の情報が受け付けられたときに、制御部３４は、操作受付部３２に入力された各種の情報を解析し、データを書き換える必要があるときには、データ保持部３５に保持されたデータを書き換えるとともに、書き換えられたデータにしたがった制御信号（リクエストプロパティ値）を生成し、この制御信号を送受信部３１を介して照明器具１、２の制御部１２、２２に送信し、この制御信号にしたがって光源１６、２６の状態、例えば、照度レベルや調光を制御するようになっている。すなわち、制御部３４は、制御部１２、２２とともに制御手段を構成するとともに、データ保持部３５内のデータを書き換える書き換え手段として構成されている。
【００２４】
データ記憶手段を構成するデータ保持部３５には、図２に示すように、光源１６、２６の特性や性能に関連するプロパティデータとして、光源１６、２６の現在の照度、光色、位置に関するデータが格納されている。プロパティデータとしては、この他のデータを保持することも可能であり、例えば、光源１６、２６が、光の三原色からなる配光や照らす方向を制御可能なときには、これらのデータをプロパティデータとして保持することもできる。
【００２５】
また、データ保持部３５に保持されたプロパティデータは制御部３４によって書き換えられるようになっているが、プロパティデータは、光源１６、２６によっては照度、光色、位置に関する制限がある。このため、制御部３４は、プロパティデータを書き換えるに際しては、プロパティデータの制限値の範囲内、例えば、最大値と最小値の範囲内でプロパティデータを書き換え、書き換えられたプロパティデータにしたがって制御信号を生成したり、あるいは、リクエストプロパティ値とプロパティ制限値とを比較し、その制限値の範囲でプロパティデータを書き換え、書き換えられたプロパティデータにしたがって制御信号を生成したりするようになっている。なお、プロパティ制限値もデータ保持部３５に格納されている。
【００２６】
また、図２に示すプロパティデータのうち位置に関するデータには、図３に示すような詳細データが設定されている。すなわち、様々な室内の状況や照明器具の位置に対応するために、照度測定ポイントｊに及ぼす照度に関するデータが設定されている。例えば、光源１６を点灯したときを基準に、位置ｐｉ＝（ｃ１、ｃ２、・・・ｃＭ）における照度として、テレビ前の照度がｃ１、リビング中央の照度がｃ２、他の光源ａの設置位置における照度がｃａに設定されている。なお、光源ｂが切れたときには、他の光源の中で光源ｂの位置における照度が最も大きいものを用いることで、光源ｂの代替とすることができる。
【００２７】
さらに、データ保持部３５には、イベントに対応した照明パターンデータ（照明システム内の複数の光源に関するリクエストプロパティ値）が格納されている。この照明パターンデータは、図４に示すように、イベント種に対応したデータとして、各イベント番号１〜９毎に設定されている。具体的には、イベント番号１〜９は、目覚まし時１、目覚まし時２、目覚まし時３、朝食時などの各種のイベントに対応して設定されており、各イベントには、各光源１６、２６の状態を制御するための照明パターンデータとして、例えば、光色を制御するために、光色の色温度を３０％、５０％、７０％などに設定するためのデータが格納されている。
【００２８】
各イベントの発生はタイマー部３３からのタイマ信号あるいは送受信部３６の受信による受信情報を基に指令されるようになっている。この場合、タイマー部３３と送受信部３６はイベント指令手段を構成することになる。タイマー部３３に対して時刻情報を設定してイベントを発生するに際しては、点灯時刻、消灯時刻、その他の条件をイベント番号に対応させて保持させる必要がある。その他の条件とは、照度がしきい値以下のときに限る（例えば、予め定めた位置での照度測定値を制御部３４に入力して定めた値）あるいは外出時に限る（予め定めた位置での人感知測定値を制御部３４に入力して定めた値）などの条件を意味する。
【００２９】
ここで、イベント番号１〜３は、目覚まし時の照明パターンデータを定義しており、例えば、目を覚ましたい時間の３０分前、１５分前、２分前にイベントを発生させるに際しては、図５に示すように、ブラウザー部５の画面上に表示された目覚ましボタン４０をユーザが操作するとともに、図６に示すように、入タイマ予約ボタン４１、切タイマ予約ボタン４２などを操作すると、各イベント発生に関する時刻情報がタイマー部３３にセットされる。これにより、各イベント発生時から各光源１６、２６の光色が順次高くなり、ユーザを心地良く目覚めさせることができる。
【００３０】
具体的には、ブラウザー部５から、操作による時刻からイベントを発生させるための時刻指定情報、または操作による時刻から設定時間経過したときにイベントを発生させるための経過時間指定情報を入力するときには、時刻情報入力操作に応答して、図５に示すように、ブラウザー部５の画面上には、各イベントの開始時刻などを指定するためのボタン（スイッチ）画面が表示される。そして目覚ましボタン４０をユーザが操作すると、ブラウザー部５の表示画面には、図６に示すように、タイマ設定画面が表示される。このとき、表示画面上の入タイマ予約ボタン４１または切タイマ予約ボタン４２をユーザが操作するとともに、入タイマ予約あるいは切タイマ予約に時刻指定情報または経過時間指定情報としての数字を入力することで、各光源１６、２６を何時に点灯したいかをユーザによって設定することができる。この場合、各光源１６、２６としては、光色の色温度の高いさわやか感があるものを用いることが望ましい。
【００３１】
イベント番号４は、朝食時の照明パターンデータを定義しており、食卓での照度を照度測定部１５、２５で測定し、この測定値が予めユーザが設定した照度に達していないときには、この照明パターンデータにしたがって光源１６、２６の照度を制御する。この場合も、光源１６、２６としては、光色の色温度の高いさわやか感があるものを用いることが望ましい。
【００３２】
イベント番号５は、夕食時の照明パターンデータを定義しており、夕食時のイベントが発生したときには、この照明パターンデータにしたがった照明が行われることになる。この場合も、光源１６、２６としては、光色の色温度も低く温かみ感があるものを用いることが望ましい。またユーザからの操作にしたがって光源１６、２６を点灯するだけでなく、ユーザが登録した時刻に夕食時の光源に切り替わるようにしてもよい。
【００３３】
イベント番号６は、テレビで子ども向け番組を見るときの照明パターンデータを定義しており、情報入出力装置９を構成するテレビから子ども向けの番組が放送されたときに、この照明パターンデータにしたがって光源１６、２０の照明が行われることになる。またユーザからの操作によって指定の時刻に、すなわち子ども向け番組の時刻に合わせてイベント番号６で指定された照明パターンデータにしたがって光源１６、２６の照明を制御するようにしてもよい。
【００３４】
イベント番号７、８は、テレビで大人向けの番組を見るときの照明パターンデータを定義しており、情報入出力装置９を構成するテレビから大人向けの番組が入力されたときに、この照明パターンデータにしたがって光源１６、２０の照明が切り替わる。この場合は、ユーザからの操作にしたがった時刻に、すなわち大人向けの番組が始まる時刻に照明パターンデータにしたがって光源１６、２６の照明を制御するようにすることもできる。
【００３５】
また、情報入出力装置９をテレビまたはオーディオビジュアル装置として構成した場合、情報入出力装置９内に信号生成部７、信号送信部８を設け、テレビ番組が開始したときに、光源１６、２６に対する照度などを切替るための信号を送受信部３６に送り、制御部３４によって光源１６、２６の照度を制御することができる。例えば、通常は、テレビ大人向け１の照明パターンデータにしたがって光源１６、２６の照度を制御し、その後信号送信部８から受けた信号にしたがって、テレビ大人向け２またはテレビ大人向け３の照明パターンデータに切替る。この切替時は、一気にあるいはスムーズの指定を受け付け、この受け付けにしたがって切替ることで雰囲気を損なうことはない。例えば、スムーズの指定を受けた場合は、切替前の照明パターンデータと切替後の照明パターンデータとの荷重平均値の照明パターンデータを生成し、生成した照明パターンデータにしたがって光源１６、２６の照度を切替る。
【００３６】
また、信号生成部７は、イベントの対象が映画であれば、所謂シアターモードの照明パターンデータとして、テレビ大人向け３に関する照明パターンデータを生成し、銃撃戦やファンファーレなどの画面に合わせてテレビ大人向け２に関する照明パターンデータを生成する。
【００３７】
また、電子楽器やゲーム機あるいはパーソナルコンピュータに信号生成部７や信号送信部８を設けることで、ゲームやプログラムソフトに合わせて制御部３４に信号を送り、この信号にしたがって各光源１６、２６の照度を制御することができる。
【００３８】
また、居室、温室、病室などで、野外の日の光の動きをシミュレーションするための照明パターンデータを作成し、作成した照明パターンデータを時刻に合わせて変えるようにする方法を採用することもできる。また晴れ、曇り、雨などの天候を表す照明パターンデータを作成するとともに、野外の天候を観測し、この天候に合った照明パターンデータを入力部６から入力し、入力した照明パターンデータにしたがって光源１６、２６の照度を切替ることもできる。
【００３９】
操作の対象として、各照明器具１、２の照明のみならず、情報入出力装置９としてのエアコン、テレビ、ビデオを含む場合は、図４に示す照明パターンデータを拡張した操作パターンデータを定義して、同様に行なうことができる。例えば、図４に示す光源１の項目と同様に、エアコン１、テレビ１、ビデオ１の項目を設け、各項目毎にイベントに対応した操作パターンデータを保持する。この操作パターンデータの内容は、電源オン／オフ、運転モード、表示チャンネルなどに関するものである。
【００４０】
具体的な実現方法としては、照明器具１、２、エアコン、テレビ、ビデオは、赤外線リモコンによる操作を受け付けるものとし、操作内容には、その操作を行なうべき赤外線リモコン信号を特定できる値を操作パターンデータに対応づけて保持する。また、コントローラ３は、操作内容により特定される赤外線リモコン信号を発光することで実現できる。
【００４１】
また、データ保持部３５に各種データを格納するに際しては、照明デザイナが照明システムのリクエストプロパティ値をデザインしたときに、このリクエストプロパティ値に関するデータをインターネット上のサーバに格納し、ユーザがインターネットを介してリクエストプロパティ値に関するデータをダウンロードしてＦＴＰ等によりデータ保持部３５に登録すれば、照明デザイナのデザインによる照明をユーザの住宅環境に取り入れることが容易にできる。この場合、ユーザは、照明パターンをユーザの好みに合わせて修正することで、ユーザの住宅環境に合わせることができる。また、照明デザイナは、複数の照明器具からなる照明システムを、ユーザに楽しんでもらうために、照明パターンをバージョンアップして、ユーザに供給することが容易にできる。この場合、照明システムは、住宅の間取りタイプ、インテリアスタイル（モダン／カントリ等）に合わせて標準化しておき、この中から選べるようにしておくと、ユーザは、自分の住宅環境にふさわしい照明パターンを選択しやすくなる。
【００４２】
さらに、コントローラ３に、各照明器具の照明をコントロールする機能の他に、情報入出力装置９、インターネット４上の装置（家電製品）をコントロールする機能を持たせることで、より複雑な機器操作を可能とすることができる。この場合、情報入出力装置９の操作を含めて、操作パターン（照明パターンを含む）を供給することで、以下のような操作が可能になる。
【００４３】
例えば、誕生日などの特定の日にテレビ（情報入出力装置９）のスイッチがついたことをコントローラ３が検知したときには、全照明を一旦消した後、ランダムに点灯と消灯を繰り返した後、全照明について、音源（情報入出力装置９）から音楽を流し、ＤＶＤ（情報入出力装置９）に合わせて、照明とエアコンを同時して操作する。
【００４４】
次に、光源１６、２６の照度を制御するときの作用を図７にしたがって説明する。まず、ユーザの操作により、ブラウザー部５から光源１６、２６を制御するための指令が入力されると、制御部３４はデータ保持部３５内に格納されたプロパティデータおよび照明パターンデータを取り込み、取り込んだデータを保持する（ステップＳ１）。このとき、設定した照明環境が意図通りになっているかを確認するための操作がユーザによって行われると、照明レビューが実施される（ステップＳ２）。この場合、ユーザの操作にしたがって、図４に示す照明パターンデータにしたがった照明環境を再現するための画像がブラウザー部５の画面上に表示される。
【００４５】
次に、コントローラ３４は、タイマー部３３または送受信部３６からイベントを発生させるための信号が出力されるのを待ち受ける（ステップＳ３）。このとき照明イベントの発生が指令されたときには、イベント番号に対応した照明パターンデータをデータ保持部３４から取り込み、この照明パターンデータにしたがった制御信号としての調光信号を生成し、この調光信号を照明器具１、２に送信し、送信した調光信号にしたがって各光源１６、２６の調光を制御する（ステップＳ４、Ｓ５、Ｓ６）。
【００４６】
一方、ステップＳ３においてイベントの発生を待ち受けている過程で、ユーザからの指示にリアルタイムに応答するイベントの他に、コントローラ３が受け取った１つのイベントから、コントローラ３内で経過時間ごとの複数のイベントを生じさせるものが設定されていた場合、例えば、タイマ設定が行われていた場合は、設定時刻ごとに指定の照明パターンデータを読み出し、読み出した照明パターンデータにしたがった調光信号を制御信号として生成し、この制御信号にしたがって各光源１６、２６の調光を制御する。
【００４７】
また、ステップＳ３において、イベントの発生を待ち受けている過程で、ユーザからプロパティデータあるいは照明パターンデータに関する書き換え指令が入力されたときには、ユーザと対話的に操作指示を受け付け、ユーザの操作によって指定されたプロパティデータあるいは照明パターンデータを書き換えるための更新処理を実行する。このあとは、更新されたデータにしたがって各光源１６、２６に対する調光制御が行われることになる。またステップ３においてイベントを待ち受けているときに、イベントの終了が指令されたときには、このルーチンでの処理を終了することになる。
【００４８】
本実施形態によれば、光源１６、２６が設置される場所（室内または屋外）の条件、位置、目的が様々であっても、仕様の範囲内でユーザの好みに合った照明環境を提供することができる。
【００４９】
また、ブラウザー部５の画面上に図４に関する画像を表示し、ユーザが各光源１６、２６に関する照明パターンデータや情報入出力装置９に関する操作パターンデータを変更するための操作を行なうことで、各光源１６、２６に関する照明パターンデータや情報入出力装置９に関する操作パターンデータを変更することができる。
【００５０】
【発明の効果】
以上説明したように、本発明によれば、書き換え指令にしたがってプロパティデータまたは操作パターンデータを書き換えることで、仕様の範囲内でユーザの好みに合わせて照明環境を任意に設定することができる。
【図面の簡単な説明】
【図１】本発明に係る照明制御装置が適用された照明システムの全体構成図である。
【図２】光源とプロパティデータとの関係を説明するための図である。
【図３】プロパティデータのうち照度測定ポイントにおける照度を説明するための図である。
【図４】イベントに対応した照明パターンデータの構成説明図である。
【図５】ブラウザー部の画面表示例を説明するための図である。
【図６】ブラウザー部の他の画面表示例を説明するための図である。
【図７】図１に示すシステムの作用を説明するためのフローチャートである。
【符号の説明】
１、２　照明器具
３　コントローラ
４　インターネット網
５　ブラウザー部
６　入力部
７　信号生成部
８　信号送信部
９　情報入出力装置
１６、２６　光源
１２、２２　制御部
１４、２４、３１、３６　送受信部
３２　操作受付部
３３　タイマー部
３４　制御部
３５　データ保持部
【図１】
2004030933.tif 000003
【図２】
2004030933.tif 000004
【図３】
2004030933.tif 000005
【図４】
2004030933.tif 000006
【図５】
2004030933.tif 000007
【図６】
2004030933.tif 000008
【図７】
2004030933.tif 000009